(57)【特許請求の範囲】
【請求項１】
毛髪化粧料を収容する容器本体と、容器本体から延出された複数の櫛歯からなる櫛部とを備え、前記櫛歯は板状をなし、櫛歯をその幅方向がコーミングの際の櫛部の操作方向に平行するように配設するとともに、櫛歯内には容器本体内と連通する連通路を設け、さらに連通路と連通する吐出口を櫛歯に形成し、容器本体内に収容された毛髪化粧料を連通路を介して吐出口から吐出するように構成した櫛付き容器であって、
前記櫛歯の厚さ及び櫛歯間の間隔が櫛歯の長さ方向において一定となるように構成するとともに、前記連通路を、櫛歯の厚さ方向においては一定の幅となるように形成し、かつ櫛歯の幅方向においては上流側に向かうに従って連続的に又は段階的に拡幅するように形成することにより、連通路を上流側に向かうに従って断面積が拡大するように形成したことを特徴とする櫛付き容器。
【請求項２】
前記毛髪化粧料は酸化染毛剤である請求項１に記載の櫛付き容器。
【請求項３】
前記毛髪化粧料は第１剤と第２剤とからなる二剤式の酸化染毛剤であり、その第１剤と第２剤がともに水中油滴型（Ｏ／Ｗ型）乳化物である請求項１に記載の櫛付き容器。
【請求項４】
前記酸化染毛剤の第１剤の粘度は８０００〜１０００００センチポアズ（ｃｐｓ）であり、第２剤の粘度は５０００センチポアズ（ｃｐｓ）以下である請求項３に記載の櫛付き容器。
【請求項５】
前記酸化染毛剤の第１剤は５重量％以上の高級アルコールを含む水中油滴型（Ｏ／Ｗ型）乳化物である請求項３又は請求項４に記載の櫛付き容器。
【発明の詳細な説明】
【０００１】
【発明の属する技術分野】
この発明は、酸化染毛剤、酸性染毛料（ヘアマニキュア）、毛髪脱色剤等の毛髪化粧料を内部に収容するとともに、その内部に収容された毛髪化粧料を直接髪に塗布することのできる櫛付き容器に関するものである。
【０００２】
【従来の技術】
従来のこの種の櫛付き容器としては、例えば図６（ａ），（ｂ）に示すような構成のものが知られている。この櫛付き容器４１は、毛髪化粧料を収容する容器本体４２と、その容器本体４２に取付けられた蓋体４３とから構成されている。蓋体４３は、板状をなす複数の櫛歯４４からなる櫛部４５を備えており、その櫛歯４４内には一定の孔径を有し容器本体４２内と連通する連通路４６が設けられている。また、櫛歯４４の両面には連通路４６と連通する吐出口４７が形成されている。そして、容器本体４２内に収容された毛髪化粧料は連通路４６を介して吐出口４７から吐出されるようになっている。
【０００３】
【発明が解決しようとする課題】
ところが、上記の従来構成においては、毛髪化粧料が連通路４６に詰まり使用に支障をきたすおそれがあった。そこで、連通路４６に毛髪化粧料が詰まるのを防ぐために、次の二つの方法が考えられている。
【０００４】
一つは、毛髪化粧料の粘度を下げるという方法である。しかし、粘度を下げると吐出口４７から吐出させた毛髪化粧料を櫛歯４４間等に保持させるのが困難となり、毛髪化粧料が垂れ落ちる「液だれ」の原因となる。また、毛髪化粧料の種類によっては粘度の高い方が効果の高いものもあり、この方法では上記の問題点を根本的に解消することができない。例えば、白髪染め用の染毛料の場合、その目的からして髪の全体に完全かつ均一に染毛料を塗布することが望ましく、そのためには粘度の高いクリーム状のものが適している。また、高粘度の毛髪化粧料は髪を傷めるおそれが少なく、トリートメント効果も高い。
【０００５】
もう一つの方法は、上流側の連通路の断面積を大きくすることであり、具体的には図７（ａ），（ｂ）に示すノズル式アプリケータや、特開平５−１５４０７号公報に開示される泡状化粧料塗布用具である。
【０００６】
ノズル式アプリケータ５１は、毛髪化粧料を収容する容器本体５２と、その容器本体５２に取付けられた蓋体５３とから構成されている。蓋体５３は、円錐形状のノズル５４を一つ備えており、そのノズル５４内には上流側に向かうに従って拡径し容器本体５２内と連通する連通路５５が設けられている。また、ノズル５４の先端には連通路５５と連通する吐出口５６が形成されている。そして、容器本体５２内に収容された毛髪化粧料は連通路５５を介して吐出口５６から吐出されるようになっている。しかし、この場合、毛髪化粧料が連通路５５に詰まるおそれを少なくすることはできるが、一旦連通路５５が詰まると連通路５５が一つしかないために即使用に支障をきたすという問題があった。
【０００７】
特開平５−１５４０７号公報に開示される泡状化粧料塗布用具の場合、同公報の図３（ａ）に示されるように、櫛歯内の連通路は櫛歯の厚さ方向において上流側に向かうほど拡幅するように形成されている。しかし、連通路が拡幅するのに伴って櫛歯の厚みも増すように形成されているため、コーミングするときの抵抗が大きくなり、櫛通りが悪くなるという問題があった。
【０００８】
この発明は、上記のような従来技術に存在する問題点に着目してなされたものである。その目的とするところは、櫛通りを良好に維持しつつ、櫛歯内に設けられた連通路の詰まりを抑えることができる櫛付き容器を提供することにある。
【０００９】
【課題を解決するための手段】
上記の目的を達成するために、請求項１に記載の発明の櫛付き容器は、毛髪化粧料を収容する容器本体と、容器本体から延出された複数の櫛歯からなる櫛部とを備え、前記櫛歯は板状をなし、櫛歯をその幅方向がコーミングの際の櫛部の操作方向に平行するように配設するとともに、櫛歯内には容器本体内と連通する連通路を設け、さらに連通路と連通する吐出口を櫛歯に形成し、容器本体内に収容された毛髪化粧料を連通路を介して吐出口から吐出するように構成した櫛付き容器であって、前記櫛歯の厚さ及び櫛歯間の間隔が櫛歯の長さ方向において一定となるように構成するとともに、前記連通路を、櫛歯の厚さ方向においては一定の幅となるように形成し、かつ櫛歯の幅方向においては上流側に向かうに従って連続的に又は段階的に拡幅するように形成することにより、連通路を上流側に向かうに従って断面積が拡大するように形成したことを要旨とする。
【００１０】
請求項２に記載の発明の櫛付き容器は、請求項１に記載の発明において、前記毛髪化粧料は酸化染毛剤であることを要旨とする。
請求項３に記載の発明の櫛付き容器は、請求項１に記載の発明において、前記毛髪化粧料は第１剤と第２剤とからなる二剤式の酸化染毛剤であり、その第１剤と第２剤がともに水中油滴型（Ｏ／Ｗ型）乳化物であることを要旨とする。
【００１１】
請求項４に記載の発明の櫛付き容器は、請求項３に記載の発明において、前記酸化染毛剤の第１剤の粘度は８０００〜１０００００センチポアズ（ｃｐｓ）であり、第２剤の粘度は５０００センチポアズ（ｃｐｓ）以下であることを要旨とする。
【００１２】
請求項５に記載の発明の櫛付き容器は、請求項３又は請求項４に記載の発明において、前記酸化染毛剤の第１剤は５重量％以上の高級アルコールを含む水中油滴型（Ｏ／Ｗ型）乳化物であることを要旨とする。
【００１３】
【発明の実施の形態】
以下、この発明の実施形態を図１〜図３に従って説明する。
図１に示すように、櫛付き容器１１は、有底円筒状の容器本体１２と、その容器本体１２の上部開口部に嵌合された蓋体１３とから構成されている。容器本体１２は可撓性を有する合成樹脂によって形成され、その内部には毛髪化粧料が収容されるようになっている。
【００１４】
容器本体１２胴部の一側部には、バーコード状に多数の凹凸を形成することによって滑り止め部１４が設けられ、容器本体１２を把持する際の滑り止めの役割をすることができるとともに、目視しなくても櫛付き容器１１の向きを容易に把握することができるように構成されている。また、図２（ａ），（ｂ）に示すように、容器本体１２の上部開口部を構成する開口筒１５は、容器本体１２の上端部を縮径することによって円筒状に形成され、その外周面には雄ネジ部１６が設けられている。
【００１５】
蓋体１３の下部には、ほぼ円筒状に形成された嵌合筒１７が配設されている。この嵌合筒１７の内周面には、前記開口筒１５の雄ネジ部１６と螺合するための雌ネジ部１８が設けられている。図１に示すように、嵌合筒１７の外周面には、所定間隔をおいて複数の滑り止め突条１９が上下方向に延びるように突設され、容器本体１２に蓋体１３を螺着させる際に滑り止めの役割をすることができるようになっている。
【００１６】
嵌合筒１７の上方には首部２０が設けられ、その首部２０の上方には複数の櫛歯２１からなる櫛部２２が設けられている。図２（ａ），（ｂ）に示すように、首部２０の内側は中空に形成され、容器本体１２内の毛髪化粧料を櫛部２２に供給するための供給空間２３となっている。また、この供給空間２３の下端部には、円筒状に形成された嵌合突部２４が垂下され、容器本体１２に蓋体１３を螺着させたとき、容器本体１２の開口筒１５の上端に内嵌されるようになっている。
【００１７】
図１、図２（ａ），（ｂ）及び図３（ａ）に示すように、櫛部２２は、１０枚の櫛歯２１から構成されている。１０枚の櫛歯２１はそれぞれ略三角板状をなすとともに一定の厚みを有し、首部２０の上面から上方に突設されている。このとき、各櫛歯２１は櫛部２２の長さ方向に対し、同一の間隔をおいて一列に並んで配設されるとともに、コーミングの際の櫛部２２の操作方向と櫛歯２１の幅方向とが平行するようになっている。また、図２（ａ）に示すように、隣接する櫛歯２１間の間隔は櫛歯２１の長さ方向において一定となっている。なお、櫛部２２を構成する櫛歯２１の数は、操作性の点から５〜１０枚が好ましい。
【００１８】
図２（ａ）に示すように、櫛部２２の両端部にそれぞれ位置する２枚ずつの櫛歯２１（計４枚）を除く中央に位置する６枚の櫛歯２１内には、供給空間２３に連通する連通路２５が穿設されている。この連通路２５は櫛歯２１の長さ方向に延びて櫛歯２１の先端部で櫛歯２１の厚さ方向に曲がり、各櫛歯２１の両面において開口して吐出口２６となっている。そして、供給空間２３から吐出口２６に至る毛髪化粧料の供給路を形成している。
【００１９】
連通路２５は、図２（ａ）に示すように、櫛歯２１の厚さ方向においては常に一定の幅であるが、図２（ｂ）に示すように、櫛歯２１の幅方向においては下流側（櫛歯２１の先端側）から上流側（櫛歯２１の基端側）に向かうに従って連続的に拡幅するように形成されている。そして、図３（ｂ）に示すように、連通路２５の断面形状は、下流側の端部においては円形であるが、それより上流側においては長軸が櫛歯２１の幅方向に延びる略楕円形となり、上流側に向かうに従って連続的に断面積が拡大するようになっている。
【００２０】
なお、連通路２５の下流側の端部における孔径Ｄ１の大きさは、好ましくは０．８〜１．９ｍｍ、より好ましく１．０〜１．７ｍｍ、さらに好ましくは１．２〜１．５ｍｍに設定される（実施形態では１．２ｍｍ）。この孔径Ｄ１の大きさが０．８ｍｍより小さいと、圧力がかかりすぎるために吐出口２６から毛髪化粧料が飛び散るおそれがある。一方、１．９ｍｍを超えると必要量以上の毛髪化粧料が吐出口２６から吐出されるおそれがある。
【００２１】
また、連通路２５の上流側の端部における長径Ｄ２の大きさは、好ましくは孔径Ｄ１の１．５倍以上に設定される。この長径Ｄ２の大きさが孔径Ｄ１の１．５倍未満であると、特に高粘度の毛髪化粧料の場合に吐出させるのがやや困難となる。実施形態では長径Ｄ２の大きさは２．５ｍｍであり、孔径Ｄ１の約２倍に設定されている。一方、連通路２５の上流側の端部における短径Ｄ３の大きさは孔径Ｄ１と同じである。
【００２２】
次に、容器本体１２内に収容される毛髪化粧料について説明する。
容器本体１２内に収容される毛髪化粧料としては、例えば酸化染毛剤、酸性染毛料、毛髪脱色剤等の染毛料の他、シャンプー、リンス、整髪剤、パーマ剤、トリートメント剤、ラメ等が挙げられる。剤型は流動性を有する限り特に限定されるものではなく、例えばジェル状、ゲル状、クリーム状、ペースト状等の粘稠なものや、液状等が挙げられる。また、一剤式のものでも第１剤と第２剤とからなる二剤式のものでもよい。
【００２３】
例えば二剤式の染毛料としては、酸化染毛剤、毛髪脱色剤等が挙げられる。酸化染毛剤の場合、第１剤には酸化染料中間体や直接染料といった染料のほか、アルカリ剤等が配合され、第２剤には酸化剤としての過酸化水素のほか、安定剤、ｐＨ調整剤等が配合されている。毛髪脱色剤の場合には、第１剤は前記酸化染毛剤の第１剤から染料を除いたものが使用され、第２剤は前記酸化染毛剤の第２剤と同成分のものが使用される。
【００２４】
酸化染毛剤の第１剤に配合される酸化染料中間体としては、フェニレンジアミン類、アミノフェノール類、トルイレンジアミン類、アミノニトロフェノール類、ジフェニルアミン類、ジアミノフェニルアミン類、Ｎ−フェニルフェニレンジアミン類、ジアミノピリジン類等及びそれらの塩類から選ばれた少なくとも一種が使用される。塩類としては塩酸塩、硫酸塩、酢酸塩等が挙げられる。これらの中でもパラフェニレンジアミン、パラトルイレンジアミン、Ｎ，Ｎ−ビス（２−ヒドロキシエチル）−パラフェニレンジアミン、Ｎ−フェニル−パラフェニレンジアミン、４，４’−ジアミノジフェニルアミン、２−クロロパラフェニレンジアミン、Ｎ，Ｎ−ジメチルパラフェニレンジアミン、パラアミノフェノール、２，６−ジクロロパラフェニレンジアミン、パラアミノフェニルスルファミン酸及びそれらの塩類が染毛力の点から好ましい。
【００２５】
酸化染料中間体の配合量は、第１剤の全重量に対して０．０１〜１５重量％が好ましく、０．０１重量％よりも少ないと十分な染毛効果が得られず、１５重量％を越えても、その効果は変わらず経済的ではない。さらには０．１〜１０重量％が特に好ましく、０．１重量％以上配合することにより、より優れた染毛効果が得られる。一方、１０重量％を越えた場合は染毛効果の上昇は少なくなる。
【００２６】
また、レゾルシン、ピロガロール、カテコール、メタアミノフェノール、メタフェニレンジアミン、オルトアミノフェノール、２，４−ジアミノフェノール、１，２，４−ベンゼントリオール、トルエン−３，４−ジアミン、トルエン−２，４−ジアミン、ハイドロキノン、α−ナフトール、２，６−ジアミノピリジン、１，５−ジヒドロキシナフタレン、５−アミノオルトクレゾール、ジフェニルアミン、パラメチルアミノフェノール、フロログルシン、２，４−ジアミノフェノキシエタノール、没食子酸、タンニン酸、没食子酸エチル、没食子酸メチル、没食子酸プロピル、五倍子、５−（２−ヒドロキシエチルアミノ）−２−メチルフェノール等及びそれらの塩から選ばれた少なくとも一種を第１剤に配合してもよい。
【００２７】
その配合量は０．０１〜１０重量％が好ましく、０．０１重量％よりも少ないと十分な染色性が得られず、１０重量％を越えても、その効果は変わらず経済的ではない。さらには０．１〜５重量％が特に好ましく、０．１重量％以上配合することにより、より優れた染色性が得られる。一方、５重量％を越えた場合は染色性の上昇は少なくなる。その他、「医薬部外品原料規格」（１９９１年６月発行、薬事日報社）に収載されたものを適宜配合してもよい。
【００２８】
第１剤に配合される直接染料としては、４−ニトロ−ｏ−フェニレンジアミン、２−ニトロ−ｐ−フェニレンジアミン、ピクラミン酸、１−アミノ−４−メチルアントラキノン、１，４−ジアミノアントラキノン、２−アミノ−４−ニトロフェノール、２−アミノ−５−ニトロフェノール、ピクリン酸及びそれらの塩、並びに、「医薬品等に使用することができるタール色素を定める省令」（昭和４１年告示、厚生省）により定められた酸性染料である、赤色２号、赤色３号、赤色１０２号、赤色１０４号の（１）、赤色１０５号の（１）、赤色１０６号、赤色２０１号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、黄色４号、黄色５号、黄色２０２号の（１）、黄色２０２号の（２）、黄色２０３号、黄色４０２号、黄色４０３号の（１）、黄色４０６号、黄色４０７号、だいだい色２０５号、だいだい色２０７号、だいだい色４０２号、緑色３号、緑色２０４号、緑色２０５号、緑色４０１号、緑色４０２号、紫色４０１号、青色１号、青色２号、青色２０２号、青色２０３号、青色２０５号、かっ色２０１号、黒色４０１号等から選ばれた少なくとも一種が使用される。そして、この直接染料を配合することにより、染め上がり及び染色性に、より優れた効果が得られる。
【００２９】
直接染料の配合量は０．００１〜１０重量％が好ましく、０．００１重量％よりも少ないと十分な染め上がり及び染色性が得られず、１０重量％を越えても、その効果は変わらず経済的ではない。さらには、０．０１〜５重量％が特に好ましく、０．０１重量％以上配合することにより、より優れた染め上がり及び染色性が得られる。一方、５重量％を越えた場合は染め上がり及び染色性の上昇は少なくなる。
【００３０】
第２剤に配合される過酸化水素の配合量は、第２剤の全重量に対して０．１〜９重量％が好ましく、０．１重量％よりも少ないと良好な染毛結果あるいはブリーチ結果が得られず、９重量％を越えると毛髪の損傷のおそれがある。さらには、２．０〜６．０重量％が特に好ましく、２．０重量％以上配合することにより、優れた染毛力あるいはブリーチ効果が得られる。一方、６．０重量％以下にすることにより毛髪の損傷のおそれがより少なくなる。
【００３１】
第２剤に配合される安定剤としては、例えば、フェナセチン、ＥＤＴＡ、８−ヒドロキシキノリン、アセトアニリド、ピロリン酸ナトリウム、バルビツール酸、尿酸、タンニン酸、パラベン等から選ばれた少なくとも一種が使用される。
【００３２】
第２剤に配合されるｐＨ調整剤としては、例えば、リン酸、クエン酸、硫酸、酢酸、乳酸、酒石酸等が使用され、第２剤のｐＨは２〜６、好ましくは３〜５に調整される。
【００３３】
次に、上記櫛付き容器１１の作用について説明する。
さて、上記のように構成された櫛付き容器１１を用いて毛髪化粧料を髪に塗布する場合には、まず、蓋体１３を容器本体１２と分離した状態で、容器本体１２内に毛髪化粧料を注入する。続いて、蓋体１３の嵌合筒１７を容器本体１２の開口筒１５に螺合させた後、嵌合筒１７の回動が止まるまで螺進させ、蓋体１３を容器本体１２に嵌合させる。このとき、図２（ａ）及び（ｂ）に示されるように、蓋体１３の嵌合突部２４と開口筒１５の上端部とによって、容器本体１２と蓋体１３との隙間が閉鎖され、毛髪化粧料がその部分から漏れ出すのが防止される。
【００３４】
次に、容器本体１２の胴部を指で把持しながら押圧し、容器本体１２内の毛髪化粧料を吐出口２６から吐出させつつ、櫛部２２を櫛歯２１の幅方向に操作して櫛部２２で髪をコーミングする。容器本体１２を押圧すると、容器本体１２内の毛髪化粧料は、供給空間２３から連通路２５を経て吐出口２６から吐出される。吐出口２６から吐出された毛髪化粧料は、櫛歯２１の外面を伝って、そこに摺接されている髪の表面に塗布される。さらに、同じ部位の頭髪を複数回コーミングすることによって、頭髪に付着された毛髪化粧料が櫛歯２１の外面、首部２０の上面に付着され、その付着された毛髪化粧料が再度髪の表面に拡散しながら塗布される。
【００３５】
以上のように、この実施形態によれば次のような効果が発揮される。
・  連通路２５は上流側に向かうに従って断面積が拡大するように形成されており、連通路２５の上流側の端部における断面積は、図６（ａ），（ｂ）に示す従来の櫛付き容器４１に比べて大きく形成されている。このため、供給空間２３から連通路２５への毛髪化粧料の移行がスムースであり、連通路２５の詰まりを抑えることができる。
【００３６】
・  連通路２５は、櫛歯２１の厚さ方向においては一定の幅となるように形成され、櫛歯２１の幅方向においては上流側に向かうに従って拡幅するように形成されている。このため、従来の櫛付き容器４１の櫛歯４４と同じ厚さの櫛歯２１のままで、連通路２５を上流側に向かうに従って断面積が拡大するように形成することができる。従って、櫛歯２１を薄く保つことができ、櫛通りを従来のまま良好に維持しつつ、連通路２５の詰まりを抑えることができる。
【００３７】
・  櫛部２２は１０枚の櫛歯２１から構成され、そのうちの６枚に連通路２５が設けられている。このため、たとえ一部の櫛歯２１の連通路２５が詰まったとしても、他の櫛歯２１の連通路２５を介して毛髪化粧料を吐出させることができ、すぐに使用に支障をきたすというおそれがない。
【００３８】
・  ところで、毛髪化粧料として、高粘度の染料含有組成物（第１剤）と、過酸化水素の水溶液あるいは水性エマルジョン（第２剤）とからなり、第１剤と第２剤の粘度差が大きい二剤式の染毛料を使用する場合、両者を混合して均一な染毛料とすることは非常に困難であった。特に、第１剤と第２剤が共にＯ／Ｗ型乳化物で、第１剤の粘度が第２剤の粘度の１０倍以上ある二剤式の酸化染毛剤の場合、両者を混合しても第１剤が粒状に残ってしまい、これが連通路２５を詰まらせる原因となっていた。
【００３９】
そこで、第１剤と第２剤の粘度を調整して両者の粘度差を小さくすることにより、両者をより均一に混合する試みがなされているが、両者を混合したときの混合粘度を適切な値に設定することが難しく、良い解決法となっていないのが現状であった。
【００４０】
しかし、実施形態の櫛付き容器１１では、上記の染毛料を粘度調整することなく使用しても、連通路２５が詰まるおそれがない。これは、次に挙げる二つの要因により可能となっている。（１）連通路２５の断面積が上流側に向かうに従って拡大するように形成されているため、供給空間２３から連通路２５への染毛料の移行がスムースである。（２）複数の櫛歯２１にそれぞれ連通路２５が設けられているため、たとえ一部の連通路２５が詰まってもすぐに使用に支障をきたすということがない。
【００４１】
・  連通路２５は上流側に向かうに従って連続的に断面積が拡大するように形成されているため、段階的に拡大する場合に比べて、連通路２５における毛髪化粧料の流れをスムースにすることができる。
【００４２】
・  連通路２５は下流側に向かうに従って断面積が縮小するように形成されており、連通路２５の下流側の端部における孔径Ｄ１は、従来の櫛付き容器４１と同じ大きさとなるように形成されている。このため、吐出口２６から毛髪化粧料を吐出する能力を従来のまま良好に維持することができる。
【００４３】
・  連通路２５の詰まりを抑えるために毛髪化粧料の粘度を下げる必要がないので、高粘度の方が効果の高い毛髪化粧料（例えば白髪染め用の染毛料）もそのまま使用することができ、その効果を十分に発揮させることができる。
【００４４】
・  実施形態の櫛付き容器１１は、容器本体１２内の毛髪化粧料を吐出口２６から吐出させつつ、櫛部２２で髪をコーミングすることにより、髪に毛髪化粧料を塗布するようになっている。このため、図７（ａ），（ｂ）に示すノズル式アプリケータ５１に比べ、毛髪化粧料を髪の全体に均一に塗布することが容易である。
【００４５】
・  連通路２５の下流側の端部における孔径Ｄ１の大きさを０．８〜１．９ｍｍに設定することにより、吐出口２６から毛髪化粧料が飛び散るおそれを防ぐとともに、必要量以上の毛髪化粧料が吐出口２６から吐出されるおそれを防ぎ、吐出能力を向上させることができる。また、１．０〜１．７ｍｍに設定することにより、上記の効果を一層向上させることができる。さらに、１．２〜１．５ｍｍに設定することにより上記の効果をより一層向上させることができる。
【００４６】
【実施例】
以下、前記実施形態をさらに具体化した実施例について説明する。
（実施例１）
実施例１では、実施形態の櫛付き容器１１を使用して二剤式の酸化染毛剤Ａを髪に塗布したときの操作性（毛髪化粧料の吐出し易さ）と、使用後の連通路２５の詰まり具合についてそれぞれ評価した。その結果を表１に示す。
【００４７】
なお、実施例１で用いられる酸化染毛剤Ａの第１剤は、セタノールを３．０重量％、ベヘニルアルコールを３．０重量％、ワセリンを１．０重量％、ポリオキシエチレン（２）セチルエーテルを１．５重量％、ポリオキシエチレン（４０）オレイルエーテルを２．０重量％、塩化ステアリルトリメチルアンモニウムを１．０重量％、アンモニア（２８％）を５．０重量％、無水亜硫酸ナトリウムを０．１重量％、ＥＤＴＡ二ナトリウムを０．１重量％、パラフェニレンジアミンを０．５重量％、パラアミノフェノールを０．３重量％、５−アミノオルトクレゾールを０．２重量％、パラニトロオルトフェニレンジアミンを０．１重量％、香料を適量、精製水を残部配合したものであり、粘度は約２００００ｃｐｓである。
【００４８】
また、酸化染毛剤Ａの第２剤は、過酸化水素を５．０重量％、ＥＤＴＡを０．５重量％、セタノールを２．０重量％、ラウリル硫酸ナトリウムを０．５重量％、フェナセチンを０．１重量％、精製水を残部配合したものであり、粘度は約２５００ｃｐｓである。
【００４９】
（実施例２）
実施例２では、実施例１の酸化染毛剤Ａを同じく二剤式の酸化染毛剤Ｂに変更した。その他は実施例１と同様に評価を行った。その結果を表１に示す。
【００５０】
なお、実施例２で用いられる酸化染毛剤Ｂの第１剤は、セトステアリルアルコールを７．０重量％、オレイン酸を１．０重量％、ポリエチレングリコールを３．０重量％、ポリオキシエチレンラウリルエーテル硫酸ナトリウムを０．５重量％、ポリオキシエチレン（５．５）セチルエーテルを２．０重量％、ポリオキシエチレン（３０）セチルエーテルを３．０重量％、ヒドロキシエチルセルロースを０．２重量％、アンモニア（２８％）を７．１重量％、無水亜硫酸ナトリウムを０．１重量％、ＥＤＴＡ二ナトリウムを０．１重量％、パラフェニレンジアミンを０．５重量％、メタアミノフェノールを０．３重量％、オルトアミノフェノールを０．１重量％、レゾルシンを０．５重量％、香料を適量、精製水を残部配合したものであり、粘度は約３５０００ｃｐｓである。
【００５１】
また、酸化染毛剤Ｂの第２剤は、過酸化水素を５．０重量％、ＥＤＴＡを０．５重量％、セタノールを２．０重量％、ラウリル硫酸ナトリウムを０．５重量％、フェナセチンを０．１重量％、精製水を残部配合したものであり、粘度は約２５００ｃｐｓである。
【００５２】
（実施例３）
実施例３では、実施例１の酸化染毛剤Ａを同じく二剤式の酸化染毛剤Ｃに変更した。その他は実施例１と同様に評価を行った。その結果を表１に示す。
【００５３】
なお、実施例３で用いられる酸化染毛剤Ｃの第１剤は、ステアリルアルコールを８．０重量％、流動パラフィンを２．０重量％、オリーブ油を２．０重量％、ポリオキシエチレン（１５）セチルエーテルを５．０重量％、加水分解コラーゲン末を３．０重量％、ヒドロキシエチルセルロースヒドロキシプロピルトリメチルアンモニウムクロリドエーテルを１．０重量％、アンモニア（２８％）を５．０重量％、無水亜硫酸ナトリウムを０．１重量％、ＥＤＴＡ二ナトリウムを０．１重量％、硫酸トルエン−２，５−ジアミンを１．０重量％、塩酸メタフェニレンジアミンを０．３重量％、レゾルシンを０．５重量％、香料を適量、精製水を残部配合したものであり、粘度は約５００００ｃｐｓである。
【００５４】
また、酸化染毛剤Ｃの第２剤は、過酸化水素を５．０重量％、ＥＤＴＡを０．５重量％、セタノールを１．０重量％、ポリオキシエチレン（１５）セチルエーテルを０．５重量％、塩化セチルトリメチルアンモニウムを０．３重量％、フェナセチンを０．１重量％、リン酸を０．０５重量％、精製水を残部配合したものであり、粘度は約２０００ｃｐｓである。
【００５５】
（比較例１〜３）
比較例１〜３では、実施例１〜３の実施形態の櫛付き容器１１を図６に示す従来の櫛付き容器４１に変更した。その他は実施例１と同様に評価を行った。その結果を表１に示す。なお、連通路４６の孔径は１．２ｍｍである。
【００５６】
（比較例４〜６）
比較例４〜６では、実施例１〜３の実施形態の櫛付き容器１１を図７に示すノズル式アプリケータ５１に変更した。その他は実施例１と同様に評価を行った。その結果を表１に示す。なお、連通路５５の孔径は先端部においては１．５ｍｍ、基端部においては１０ｍｍである。
【００５７】
（実施例４）
実施例４では、実施例１の酸化染毛剤Ａを一剤式の酸性染毛料Ｘに変更した。その他は実施例１と同様に評価を行った。その結果を表２に示す。
【００５８】
なお、実施例４で用いられる酸性染毛料Ｘは、ヒドロキシエチルセルロースを１．０重量％、エタノールを２０．０重量％、ベンジルアルコールを１０．０重量％、乳酸を５．０重量％、橙色２０５号を０．３重量％、赤色１０６号を０．１重量％、精製水を残部配合したものであり、粘度は約５０００ｃｐｓである。
【００５９】
（実施例５）
実施例５では、実施例１の酸化染毛剤Ａを一剤式の酸性染毛料Ｙに変更した。その他は実施例１と同様に評価を行った。その結果を表２に示す。
【００６０】
なお、実施例５で用いられる酸性染毛料Ｙは、カルボキシビニルポリマーを３．０重量％、エタノールを３０．０重量％、ベンジルアルコールを１２．０重量％、レブリン酸を８．０重量％、橙色２０５号を０．３重量％、赤色１０６号を０．１重量％、精製水を残部配合したものであり、粘度は約３００００ｃｐｓである。
【００６１】
（実施例６）
実施例６では、実施例１の酸化染毛剤Ａを一剤式の酸性染毛料Ｚに変更し、その他は実施例１と同様に評価を行った。その結果を表２に示す。
【００６２】
なお、実施例６で用いられる酸性染毛料Ｚは、キサンタンガムを５．０重量％、エタノールを２０．０重量％、メチルピロリドンを５．０重量％、ベンジルアルコールを１０．０重量％、乳酸を３．０重量％、橙色２０５号を０．３重量％、赤色１０６号を０．１重量％、精製水を残部配合したものであり、粘度は約１０００００ｃｐｓである。
【００６３】
（比較例７〜９）
比較例７〜９では、実施例４〜６の実施形態の櫛付き容器１１を図６に示す従来の櫛付き容器４１に変更した。その他は実施例４と同様に評価を行った。その結果を表２に示す。
【００６４】
（比較例１０〜１２）
比較例１０〜１２では、実施例４〜６の実施形態の櫛付き容器１１を図７に示すノズル式アプリケータ５１に変更した。その他は実施例４と同様に評価を行った。その結果を表２に示す。
【００６５】
【表１】
0004451947.tif 000002
【００６６】
【表２】
0004451947.tif 000003
表１及び表２の結果より、実施形態の櫛付き容器１１を使用した場合には、二剤式の酸化染毛剤であっても一剤式の酸性染毛料であっても、通常の押圧で容易に毛髪化粧料を吐出させることができ、操作性が良好であることが示された。連通路２５の詰まりについても、第１剤と第２剤の粘度の比が約２５：１と粘度差が最大となる酸化染毛剤Ｃの場合を除いて認められなかった。また、この場合の詰まりも、使用に支障をきたす程度ものではなかった。
【００６７】
それに対して、従来の櫛付き容器４１を使って酸化染毛剤Ａ〜Ｃを髪に塗布する場合には、酸化染毛剤Ａ〜Ｃを吐出させるために容器本体４２を強く押圧する必要があり、操作性にやや難があることが示された。また、第１剤と第２剤の粘度の差が大きくなるほど連通路４６に詰まりが生じやすくなることも示された。酸性染毛料Ｘ〜Ｚの場合には粘度が１０００００ｃｐｓと高い酸性染毛料Ｚの場合に、吐出させるために容器本体４２を強く押圧する必要があり、粘度が高くなると操作性にやや難があることが示された。また、粘度が高くなるほど連通路４６に詰まりが生じやすくなることも示された。
【００６８】
また、ノズル式アプリケータ５１を使って酸化染毛剤Ａ〜Ｃを髪に塗布する場合には、連通路５５が詰まって使用に支障をきたすことが示された。酸性染毛料Ｘ〜Ｚの場合には連通路５５に詰まりは認められないが、吐出させるために容器本体５２を強く押圧する必要があり、操作性にやや難があることが示された。
【００６９】
なお、前記実施形態を次のように変更して構成することもできる。
・  連通路２５を、図４（ａ）に示すように、櫛歯２１の厚さ方向においては常に一定の幅であるが、図４（ｂ）に示すように、櫛歯２１の幅方向においては上流側に向かうに従って段階的に拡幅するように形成すること。このように構成した場合でも実施形態とほぼ同様の効果を奏することができる。
【００７０】
・  櫛歯２１の形状を、実施形態の略三角形板状に代えて、任意の板状形状に変更すること。例えば図４（ａ），（ｂ）に示すように、四角板部２１ａとその四角板部２１ａの先端に設けられた略三角板部２１ｂとからなる櫛歯２１に変更すること。このように構成した場合、実施形態の場合より多くの毛髪化粧料を櫛歯２１間に保持させることができ、髪の根元から毛先まで均一かつ速やかに毛髪化粧料を塗布することができる。
【００７１】
・  実施形態の櫛付き容器１１では、櫛歯２１を含めた蓋体１３が一体成形されているが、少なくとも一部の櫛歯２１を蓋体１３とは別体に成形するようにしてもよい。つまり、図５（ａ）、（ｂ）に示すように、例えば６枚の櫛歯２１を備えた櫛付き容器１１において、両側の２枚を除く中央に位置する４枚の櫛歯２１を蓋体１３とは別体に成形し、成形後に組付けて一体に形成するようにしてもよい。
【００７２】
・  櫛歯２１の厚さは、櫛歯２１の長手方向においてほぼ一定であればよく、櫛通りが悪くならない程度であれば、例えば図５（ａ）に示すように、基端に向かうほど厚さが若干増すように構成してもよい。
【００７３】
・  櫛歯２１間の間隔は、櫛歯２１の長手方向においてほぼ一定であればよく、櫛通りが悪くならない程度であれば、例えば図５（ａ）に示すように、基端に向かうほど間隔が若干小さくなるように構成してもよい。
【００７４】
・  櫛歯２１の厚さは、櫛歯２１毎に異なってもよい。
・  櫛歯２１の間隔は、櫛歯２１間毎に異なってもよい。
・  実施形態の櫛部２２は櫛歯２１が上向きに延びるタイプ（縦型コーム）のものであるが、櫛歯２１が横向きに延びるタイプの櫛部（横型コーム）に変更してもよい。なお、その櫛部を構成する櫛歯２１の数は、操作性の点から１０〜１６本が好ましい。
【００７５】
・  実施形態では手で押し潰して毛髪化粧料を吐出させる、いわゆるスクイズ式の櫛付き容器１１として示したが、いわゆるエアゾール式の櫛付き容器としてもよい。即ち、耐圧性を有する容器内に加圧された状態の毛髪化粧料を封入しておき、押ボタンを押圧することによって弁を開いて毛髪化粧料が噴出されるように構成してもよい。
【００７６】
・  実施形態の容器本体１２を二重容器に変更して構成すること。即ち、この二重容器は、ともに可撓性を有する内容器と外容器とによって構成され、これら両容器は共有開口するように形成されているうえ、内容器のみに毛髪化粧料が収容されるようになっている。さらに、外容器には空気流入用の逆止弁を設け、この逆止弁を介して内容器と外容器の間の空間に空気が流入するように構成されている。
【００７７】
このように構成した場合、外容器を押圧することによって、内容器が潰れて毛髪化粧料が吐出される。そして、押圧を止めると、内容器と外容器の間の空間に、逆止弁を通して外部から空気が流入され、外容器は元の形状に復元する一方、内容器は潰れた状態を維持することができる。このため、使用のたびに内容器は縮んでいき、毛髪化粧料を最後まで確実に使い切ることができる。なお、内容器と外容器とを分離可能に構成し、少なくとも外容器を再利用できるようにしてもよい。
【００７８】
次に、前記実施形態から把握できる技術的思想について以下に記載する。
・  前記連通路を、櫛歯の厚さ方向においては一定の幅となるように形成し、かつ櫛歯の幅方向においては上流側に向かうに従って連続的に又は段階的に拡幅するように形成することにより、連通路を上流側に向かうに従って断面積が拡大するように構成したことを特徴とする請求項１から請求項５のいずれか一項に記載の櫛付き容器。
【００７９】
このように構成した場合、櫛歯の厚さを大きくすることなく連通路を上流側に向かうに従って断面積が拡大するように構成することができる。従って、櫛通りを良好に維持しつつ、櫛歯内に設けられた連通路の詰まりを抑えることができる。
【００８０】
・  前記連通路の断面形状を円形、楕円形又は略楕円形に形成した請求項１から請求項５のいずれか一項に記載の櫛付き容器。このように構成した場合、連通路における毛髪化粧料の流れをスムースにすることができる。
【００８１】
【発明の効果】
この発明は、以上のように構成されているため、次のような効果を奏する。
請求項１に記載の発明の櫛付き容器によれば、櫛通りを良好に維持しつつ、櫛歯内に設けられた連通路の詰まりを抑えることができる。
【００８２】
請求項２から請求項４に記載の発明の櫛付き容器によれば、請求項１に記載の発明の効果に加え、容器本体内に収容される毛髪化粧料が高粘度であっても連通路の詰まりを抑えることができる。
【００８３】
請求項５に記載の発明の櫛付き容器によれば、請求項１に記載の発明の効果に加え、容器本体内に収容される毛髪化粧料がクリーム状であっても連通路の詰まりを抑えることができる。
【図面の簡単な説明】
【図１】  実施形態の櫛付き容器を示す斜視図。
【図２】  （ａ）は実施形態の櫛付き容器を示す部分正断面図、（ｂ）は同じく部分側断面図。
【図３】  （ａ）は図２（ａ）の３ａ−３ａ線における断面図、（ｂ）は（ａ）の一本の櫛歯を拡大して示す平断面図。
【図４】  （ａ）は実施形態以外の櫛付き容器を示す部分正断面図、（ｂ）は同じく部分側断面図。
【図５】  （ａ）は実施形態以外の櫛付き容器を示す部分正断面図、（ｂ）は同じく部分側断面図。
【図６】  （ａ）は従来の櫛付き容器を示す部分正断面図、（ｂ）は同じく部分側断面図。
【図７】  （ａ）はノズル式アプリケータを示す部分斜視図、（ｂ）は同じく部分正断面図。
【符号の説明】
１１…櫛付き容器、１２…容器本体、２１…櫛歯、２２…櫛部、２５…連通路、２６…吐出口。
【図１】
0004451947.tif 000004
【図２】
0004451947.tif 000005
【図３】
0004451947.tif 000006
【図４】
0004451947.tif 000007
【図５】
0004451947.tif 000008
【図６】
0004451947.tif 000009
【図７】
0004451947.tif 000010